(57)【要約】【課題】現場の状況に的確に対応して、施工業者等が迅速且つ安全に作業を進めることができる支援システムを得る。【解決手段】複数の設備部材が接続して構成される設備網の支援システムを構成するに、所定個数接続された前記設備部材群単位で構成される設備ユニットを個々に識別する固有識別子５を、設備ユニットを代表する代表設備部材に付設するとともに、固有識別子５に、代表設備部材及び設備ユニットを成す代表設備部材以外の設備部材に関する支援情報を記憶した記憶手段５ａを備え、支援装置４から所定の範囲内に存する固有識別子５を認識する認識手段４ｂを備えるとともに、認識された固有識別子５が備えられる設備ユニットを成す設備部材それぞれの支援情報を、前記支援装置で取得可能とする。【選択図】図２
2007219727.tif 000002
【特許請求の範囲】
【請求項１】
複数の設備部材が接続して構成される設備網の支援システムであって、
所定個数接続された設備部材群単位で構成される設備ユニットを個々に識別する固有識別子を、前記設備ユニットを代表する代表設備部材に付設するとともに、
前記固有識別子に、前記代表設備部材、及び前記設備ユニットを成す前記代表設備部材以外の設備部材に関する支援情報を記憶した記憶手段を備え、
支援装置から所定の範囲内に存する前記固有識別子を認識する認識手段を備えるとともに、認識された前記固有識別子が備えられる認識設備ユニットを成す前記設備部材それぞれの前記支援情報を、前記支援装置で取得可能に構成されている支援システム。
【請求項２】
前記代表設備部材が、前記設備網に関する技術的情報を計測する計測装置であり、前記計測装置は、計測結果を前記支援情報として当該計測装置に備えられる前記記憶手段に記憶させる請求項１記載の支援システム。
【請求項３】
前記支援情報が前記設備部材に関する技術的情報であり、当該設備部材に施された保全作業に関する情報である保全情報、当該設備部材内を流れる流体に関する情報である運転情報、当該設備部材に対して行われた点検作業に関する情報である点検情報、当該設備部材の劣化に関わる情報である劣化情報の何れか一種以上の情報である請求項１又は２記載の支援システム。
【請求項４】
複数の設備部材が接続して構成される設備網に関し、所定個数接続された設備部材群単位で成る設備ユニットであって、
ユニットを代表する代表設備部材に固有識別子が付設されるとともに、
前記固有識別子に、前記代表設備部材、及び、当該設備ユニットを成す前記代表設備部材以外の設備部材に関する支援情報を記憶した記憶手段を備え、
支援装置に備えられる認識手段により前記固有識別子が認識可能に構成されるとともに、前記記憶手段に記憶された前記支援情報が、前記支援装置に読み出し可能且つ前記支援装置から書き換え可能に構成されている設備ユニット。
【請求項５】
前記代表設備部材が、前記設備網に関する技術的情報を計測する計測装置であり、
前記計測装置は、計測結果を前記支援情報として当該計測装置に備えられる前記記憶手段に記憶させる請求項４記載の設備ユニット。
【請求項６】
前記支援情報が前記設備部材に関する技術的情報であり、当該設備部材に施された保全作業に関する情報である保全情報、当該設備部材内を流れる流体に関する情報である運転情報、当該設備部材に対して行われた点検作業に関する情報である点検情報、当該設備部材の劣化に関わる情報である劣化情報の何れか一種以上の情報である請求項４又は５記載の設備ユニット。
【発明の詳細な説明】
【技術分野】
【０００１】
本発明は、複数の設備部材が接続して構成される設備網の支援システムに関する。
【背景技術】
【０００２】
このような設備網を備えた設備の代表例としては、都市ガス供給設備、ガス製造工場にある製造設備等がある。従来、この種の設備網の保全管理を行うのに、膨大な量の保全データを保有して、その維持・管理を行ってきた。
【０００３】
この種の保全データには、各設備の立ち上げ時の初期立ち上げデータが含まれるとともに、設備の保全時に作成される更新データも含まれる。この種の保全データは、保全の度毎に更新され、保全データのメンテナンスが逐次行われる。
【０００４】
ガス供給設備網を例に採ると、特定の地域の都市ガス供給用の設備網を対象とする場合、その地域を管轄するガス供給会社に、その地域の保全データが一元管理されるとともに、実際に現場工事を行う代理店等の施工業者により、その施工業者が担う地域の保全データが別途管理される。結果、保全データの管理は比較的複雑な形態となっている。
【０００５】
以上のような状況から、設備網を構成する設備部材単位で付設したＩＣタグに、保全情報を記憶させて管理しようとすることが試みられている。
即ち、鉄道の保全検査技術では、設備網を構成する設備部材のそれぞれに所謂ＩＣタグを付設し、このＩＣタグに各設備部材の保全情報を記憶させておき、設備部材毎に一対一で対応した保全情報を確実に保持させ、この保全情報を利用して、事後、適切な保全を行おうとする（特許文献１）。
【０００６】
【特許文献１】特開２００３−１３２１６７号公報（図１、図２）
【発明の開示】
【発明が解決しようとする課題】
【０００７】
しかしながら、上記のようなＩＣタグに基づいた保全管理にあっては、各設備部材にＩＣタグを付設する必要があり、ＩＣタグを含むシステム全体が膨大なものとなるとともに、その維持管理も多くの工数を要し、好ましくない。
【０００８】
このようなＩＣタグを採用する支援システムは、付設されるＩＣタグと、作業者等が現場へ持参し、ＩＣタグに記憶された情報（保全情報等）を読み取る支援装置との組み合わせとして成立するが、所定の保全作業を行うに際して、ＩＣタグとの通信により当該タグに記憶された記憶情報を読み取る必要、或いは、保全作業を完了した後に、書き換える必要が生じる。このような状況で、支援装置が多くのＩＣタグに対して所定の処理を行う必要があると、ＩＣタグ−支援装置間において安定した通信状態を逐次確保することが必要となるが、例えば、通信を無線で行おうとすると通信に障害が伴う状況も発生し、改善の余地がある。
【０００９】
さらに、通常、配管網等の設備網にあっては、例えば、計測装置等、比較的頻繁に保全・点検が成される装置があるとともに、この種の機器は、それ自体に設備網にとって重要な技術的情報を取得している場合が多い。
一方、設備部材によっては、比較的簡便が構造で、設置以降、殆ど、そのままの状態で使用される（換言すると、保全・点検頻度が非常に低い）ものもある。そこで、このような状況を好適に利用することが好ましい。
【００１０】
本発明は、このような課題に鑑みてなされたものであり、その目的は、比較的簡便なシステム構成で、固有識別子と当該固有識別子に設けられた記憶手段、及び支援装置からなる支援システムにおいて、システムが煩雑且つ大規模なものとなることなく、容易且つ確実に支援装置により所望の情報を収集することができる支援システムを得ることにある。
【課題を解決するための手段】
【００１１】
上記目的を達成するための、複数の設備部材が接続して構成される設備網の支援システムの特徴構成は、
所定個数接続された設備部材群単位で構成される設備ユニットを個々に識別する固有識別子を、前記設備ユニットを代表する代表設備部材に付設するとともに、
前記固有識別子に、前記代表設備部材、及び前記設備ユニットを成す前記代表設備部材以外の設備部材に関する支援情報を記憶した記憶手段を備え、
支援装置から所定の範囲内に存する前記固有識別子を認識する認識手段を備えるとともに、認識された前記固有識別子が備えられる認識設備ユニットを成す前記設備部材それぞれの前記支援情報を、前記支援装置で取得可能に構成されていることにある。
【００１２】
この支援システムにあっても、システムは、固有識別子と支援装置を核として成立する。このシステムの固有識別子は、代表設備部材にのみ付設される。そして、その固有識別子に備えられる記憶手段に、少なくとも代表設備部材に関する支援情報と、それ以外の設備部材の支援情報とが記憶される。
従って、支援装置側で、設備ユニットに関する情報が必要となった場合、代表設備部材に付設されている固有識別子の記憶手段との情報の遣り取りで、所定の情報を得ることができる。また、記憶手段に記憶される情報の書き換えを可能としておくと、情報の更新を逐次行える。
【００１３】
結果、設備部材個々に固有識別子を付設して支援システムを構築する場合に比べて、遥かにシステム容量及びコストを下げることができる。また、支援装置と固有識別子間の通信は、両者間の位置関係のみを確保して行うことができるため、例え、無線形態で通信を行う場合も、その信頼性が高まる。
【００１４】
このような支援システムに使用する設備ユニットとしては、これを以下のように構成しておけば良い。
【００１５】
即ち、複数の設備部材が接続して構成される設備網に関し、所定個数接続された設備部材群単位で成る設備ユニットを構成するに、
ユニットを代表する代表設備部材に固有識別子が付設されるとともに、
前記固有識別子に、前記代表設備部材、及び、当該設備ユニットを成す前記代表設備部材以外の設備部材に関する支援情報を記憶した記憶手段を備え、
支援装置に備えられる認識手段により前記固有識別子が認識可能に構成されるとともに、前記記憶手段に記憶された前記支援情報が、前記支援装置に読み出し可能且つ前記支援装置から書き換え可能に構成しておけばよい。
【００１６】
上記の代表設備部材としては、前記設備網に関する技術的情報を計測する計測装置とすることができる。
ここで、前記計測装置は、計測結果を前記支援情報として当該計測装置に備えられる前記記憶手段に記憶させる構成とされることが好ましい。
【００１７】
この種、計測装置は、保全或いは点検の頻度が高く、作業対象となる状況が比較的多くあるため、これら装置を代表設備部材とすることにより、固有識別子が保持する情報の更新を比較的頻繁に行いながら、設備ユニットを構成する全ての設備部材について的確な情報を得ることができる。
【００１８】
さらに、計測装置側では、自ら計測する技術的情報を自己に備えられた固有識別子の記憶手段に受け渡すことで、容易且つ確実に、当該技術的情報を支援情報の一種として保持できる。
【００１９】
一方、支援情報としては、これが設備部材に関する技術的情報であり、当該設備部材に施された保全作業に関する情報である保全情報、当該設備部材内を流れる流体に関する情報である運転情報、当該設備部材に対して行われた点検作業に関する情報である点検情報、当該設備部材の劣化に関わる情報である劣化情報の何れか一種以上の情報であることが好ましい。
【００２０】
支援情報として保全情報を含むことで、現場の作業者は、支援装置から当該設備部材に施された保全作業に関する情報を得て、必要な作業を判断することができる。
支援情報として運転情報を含むことで、現場の作業者は、支援装置から当該設備部材内を流れる流体に関する情報を得て、必要な作業を判断することができる。
支援情報として点検情報を含むことで、現場の作業者は、支援装置から当該設備部材に対して行われた点検作業に関する情報を得て、必要な作業を判断することができる。
支援情報として劣化情報を含むことで、現場の作業者は、支援装置から当該設備部材の劣化に関わる情報を得て、必要な作業を判断することができる。
【発明を実施するための最良の形態】
【００２１】
本発明の実施の形態について、図面に基づいて説明する。
この実施の形態にあっては、設備網１００が配管網で、設備部材ｕが配管部材である場合に関し、この設備網１００が隠蔽体１により隠蔽されている場合について説明する。
【００２２】
図１に示すように、本願は複数の設備部材ｕが接続して構成される設備網１００の支援システム２に関するものであり、現場作業員３が適宜作業現場に所持していき、作業前に現場での配管状況を把握するためのハンディコンピュータからなる支援装置４と、代表設備部材ｕ１，ｕ１２に取り付けられたＩＣタグ５を主要な構成機器として成立する。
【００２３】
設備網１００は、本願にいう設備ユニットＵ０、Ｕ１、Ｕ２を接続した構成とされており、その設備ユニットＵ１，Ｕ２をそれぞれ代表する代表設備部材ｕ１，ｕ１２に、識別用のＩＣタグ５を備えて構成される。このＩＣタグ５は、個別のユニット識別番号を付与されることで固有識別子として働き、図２に示す様に、ＩＣタグ５内には記憶手段である記憶部５ａと、支援装置４との通信を行うための通信部５ｂとを備えて構成されている。
【００２４】
支援装置４は、入出力部４ａ、認識手段４ｂ及び部分設備図生成手段４ｃが備えられ、この支援装置４に対して所定の範囲内にあるＩＣタグである固有識別子５を認識するとともに、認識されたＩＣタグ５に対してその記憶部５ａに記憶されている情報を読み出し可能に、さらに所定の情報に関しては書き換え可能に構成されている。
【００２５】
以下、個別に説明する。
１  設備ユニットＵ１、Ｕ２
本願にいう設備ユニットＵ１，Ｕ２は、設備網１００を構成する単位として認識されるユニットであり、複数の設備部材ｕを接続した設備部材群として構成されている。図１に示す例には、二つの設備ユニット（第１設備ユニットＵ１，第２設備ユニットＵ２）を図示している。
図１からも判明するように、設備網１００は、複数の設備部材ｕを接続して構成されており、図面左から順に、流体圧計測装置ｕ１，直管ｕ２、直管ｕ３、エルボｕ４、直管ｕ５、エルボｕ６、直管ｕ７、エルボｕ８、直管ｕ９、エルボｕ１０、配管用フランジ部材ｕ１１、バルブｕ１２、配管用フランジ部材ｕ１３等を備えて構成されている。
第１設備ユニットＵ１は、流体圧計測装置ｕ１，直管ｕ２、直管ｕ３、エルボｕ４、直管ｕ５、エルボｕ６、直管ｕ７、エルボｕ８、直管ｕ９、エルボｕ１０、配管用フランジ部材ｕ１１から構成されている。一方、第２設備ユニットＵ２は、バルブｕ１２、配管用フランジ部材ｕ１３等を備えて構成されている。
【００２６】
これら設備ユニットＵ１，Ｕ２には、それぞれその代表となる設備部材ｕ（この設備部材を代表設備部材と呼んでいる。）が設定されている。図１に示す例では、第１設備ユニットＵ１の代表設備部材が流体圧計測装置ｕ１であり、第２設備ユニットの代表設備部材がバルブｕ１２である。
前記流体圧計測装置ｕ１は、配管網内を流れる流体の圧力を計測する計測装置であり、計測された圧力情報は本願にいう運転情報ｉ４の一部を構成する情報であり、第１設備ユニットＵ１を構成する設備部材ｕ１〜ｕ１１までの運転情報ｉ４の一部となる。一方、第２設備ユニットＵ２に関しては、別途、このユニットに計測装置（図示せず）を設け、この設備ユニットの代表設備部材であるバルブｕ１２に備えられるＩＣタグ５の記憶部５ａにその計測結果が送られ運転情報ｉ４の一部とされる。
また、概略的な流体圧情報を得ておくとすれば、計測装置ｕ１の計測結果を共有してもよい。
【００２７】
ＩＣタグ５
本願の支援システムでは、各設備ユニットＵ１，Ｕ２に対して一対一対応で設定されている代表設備部材ｕ１，ｕ１２にのみＩＣタグ５が備えられる。図２に示す例は、ＩＣタグ５が、第１設備ユニットＵ１の代表設備部材である流体圧計測装置ｕ１である場合を示した例である。
ＩＣタグ５は、図２に示すように、その記憶部５ａが独特の構成とされている。
ＩＣタグ５の記憶部５ａには、設備ユニットＵ１に関連するユニット関連記憶部５ａａと、設備ユニットＵ１を成す個々の設備部材ｕ１〜ｕ１１の夫々に関連する部材関連記憶部５ａｂとに分けられている。
【００２８】
ユニット関連記憶部５ａａには、設備ユニットに関連する情報が記憶される。
即ち、図２からも判明するように、このユニット関連記憶部５ａａには、ユニット識別番号、代表設備部材が登録されており、ユニット接続情報Ｉ１が記憶されている。
このユニット識別番号は、設備ユニットＵ０，Ｕ１，Ｕ２が設置された状態で、図１に示すように設備ユニットの接続順に付与される識別番号であり、図示する例では、ユニット識別番号がＵ１であることを示している。この番号は設置現場で、設備ユニットＵ１の設置状況に従って付与される。
さらに、図示する例では、第１設備ユニットＵ１の代表設備部材が流体圧力計測装置であるｕ１であることを示している。
【００２９】
また、ユニット接続情報Ｉ１とは、後述する支援装置４に備えられている部分設備図生成手段４ｃで、部分設備図Ｄ（図３参照）の生成に必要な情報である。
接続情報Ｉ１には、当該設備ユニットＵ１の大きさ、当該設備ユニットＵ１に対して、その左右に接続されている接続設備ユニット（例えば、第１設備ユニットＵ１に対して、その右側に接続される第２設備ユニットＵ２及び、左側に接続される第０設備ユニットＵ０が接続設備ユニットとなる）の特定、当該設備ユニットに対する位置関係（第２設備ユニットＵ２に関しては左側に位置するとの情報、第０設備ユニットＵ０に関しては右側に位置するとの情報）、その接続位置等が含まれる。
【００３０】
さらに、設備ユニットが地上配管ユニットの場合はその配設高さ情報、埋設配管ユニットの場合はその埋設深さ情報も接続情報に含まれる。さらに、設備ユニット個々に対して、例えば、工場内に設定される特定地点あるいは設備網の特定部位からの位置情報、その区域の基準位置に対する方位及び距離も接続情報として記憶される。
【００３１】
一方、部材関連記憶部５ａｂには、設備ユニットＵ１を成す個々の設備部材ｕ１〜ｕ１１に対して、個別の記憶領域が設けられており、これら記憶領域に設備部材単位で、夫々の部材ｕ１〜ｕ１１に関する設置識別番号ｉ０が記憶されているとともに、支援情報が記憶されている。
【００３２】
この支援情報としては、設備部材ｕの配管接続に関する情報である接続情報ｉ１、設備部材ｕ自体の形状等に関する自己情報ｉ２、設備部材ｕに施された保全作業に関する情報である保全情報ｉ３、設備部材ｕ内を流れる流体に関する情報である運転情報（運転履歴情報を含む）ｕ４が記憶格納されている。さらに、設備部材ｕに対して行われた点検作業に関する情報である点検情報、設備部材ｕの劣化に関わる情報が記憶格納されていてもよい。
【００３３】
前記接続情報ｉ１とは、当該設備部材ｕに対して、当該設備部材ｕの大きさ、その左右に接続されている接続設備部材ｕ（例えば、直管ｕ３を当該設備部材ｕとする場合、左側に接続される直管ｕ２及び、右側に接続されるエルボｕ４が接続設備部材ｕとなる）の特定と、当該設備部材ｕに対する位置関係（直管ｕ２に関しては左側に位置するとの情報、エルボｕ４に関しては右側に位置するとの情報）等である。
【００３４】
さらに、設備網１００が地上管の場合はその配設高さ情報、埋設管の場合はその埋設深さ情報も接続情報に含まれる。さらに、設備部材ｕ個々に対して、例えば、工場内に設定される特定地点あるいは設備網の特定部位からの位置情報、さらには、その区域の基準位置に対する方位及び距離も接続情報として記憶される。
これら接続情報Ｉ１，ｉ１を使用することで、後述する部分設備図生成手段４ｃで部分設備図Ｄを生成できる。
【００３５】
前記自己情報ｉ２とは、当該設備部材ｕに関する情報であり、その材料、口径、板厚、長さ等であり、当該設備部材ｕの材質、形状、機能を特定できる情報である。
【００３６】
前記保全情報ｉ３とは保全履歴情報であり、当該設備部材ｕに保全が施された保全日時、保全内容、保全処理結果等に関する情報である。
【００３７】
前記運転情報ｉ４には現状における当該設備部材ｕ内を流れている流体ｆ（都市ガス供給配管の場合は都市ガス）に関する情報であり、流体種、流体圧、流量、流体の温度、さらには、その部位の振動等がこれに当たる。さらに、この運転情報ｉ４としては、運転履歴情報も含まれており、今対象としている設備部材ｕに関して、その中を流れた流体の状態に関する情報も含まれる。流体の状態に関する情報に関しては、先にも説明したように、特定の設備部材ｕの近傍に設けられている計測装置（図１，４の場合は、流体圧計測装置ｕ１）からの計測情報が利用され、共有する形態で記憶されている。
【００３８】
先に説明した劣化情報には腐食情報を含むことができ、腐食状況の検査結果、腐食検査時の腐食状況の写真、検査部分の板厚等を挙げることができる。このように、各設備ユニット毎に、その腐食情報を記憶させておくことで、現場で施工者がその設備ユニットの腐食状況を確認して作業時に注意を図ることができる。
【００３９】
また、先に説明した点検情報には、保全工事等の前後に実施される点検の結果や、日々又は定期的に実施されるパトロール等の結果を挙げることができる。これらの点検結果は、点検現場での入力・修正とすることで、隠蔽・改竄等が行われる可能性を低くすることができ、結果として第三者への説明責任を確保することができる。
【００４０】
部材関連記憶部５ａｂに記憶される情報に関して、設置識別番号ｉ０は設備網１００の構築時に或は保全時に付与、書き込まれる番号である。さらに支援情報ｉ１〜ｉ４は、その設備部材ｕ自体の製造現場で入れられたり、設置現場で入力されたりする。そして、本願が問題とするような増設・改変の場合は、後述する支援装置４を用いて逐次、現場作業時に入力される。
従って、付設のＩＣタグ５に記憶された情報は、最新の現場状態を確実に代表できる情報となる。
【００４１】
結果、一群の設備ユニットＵの記憶部５ａに記憶された情報を、各設備ユニットＵに関連づけて収集してくることにより、特定の設備ユニットを含む特定範囲の部分設備図Ｄが作成可能となるとともに、その部分に関する現在及び過去の支援情報ｉ１〜ｉ４を的確に収集することが可能となっている。劣化情報あるいは点検情報を含む場合は、これらの情報も的確に収集できる。
【００４２】
２  支援装置４
この装置４は、現場作業員３によって現場に持参される装置４であり、支援情報ｉ１〜ｉ４の現場での収集、現場における部分設備図Ｄの作成の用に供される。この装置４は、図１に示すように、所謂、ハンディコンピュータから構成される。
図１、図２に示すように、この装置４には、入出力部４ａが設けられているとともに、認識手段４ｂ及び部分設備図生成手段４ｃが備えられている。ここで、入出力部４ａは、図示するように、キーボードタイプの入力部４ａａと所定の出力情報を出力するためのディスプレイからなる出力部４ａｂを有して構成されている。
この入力部４ａａからの入力処理に関して処理順に説明すると、以下のような操作を「開始指令操作」に従ってマニュアルで行うように構成されている。以下の例にあっては、理解を容易とするためにマニュアルで行う場合に関して説明するが、「開始指令操作」に従ってそれ以降の動作をオートで行うものとしてもよい。
１：部分設備図生成作業の開始を指令する開始指令操作
２：部分設備図生成の対象とする支援装置４からの範囲を指定するための対象地域特定の指定操作
３：特定された対象地域内に存在する固有識別子及びそれに関連付けられた記憶情報（具体的には接続情報Ｉ１，ｉ１）の取り込み指令操作
４：特定された対象地域内の設備網である部分設備図の生成、出力の指令操作
５：部分設備図が生成された対象地域内における保全情報の出力指令操作
６：部分設備図が作成された対象地域内における運転情報の出力指令操作
７：部分設備図が作成された対象地域内における他の情報の出力指令操作
【００４３】
さらに、ＩＣタグ５に設けられている記憶部５ａ内の情報ｉ０，ｉ１，ｉ２，ｉ３，ｉ４を書き換える場合に、入力部４ａａからの入力操作によって、これら情報を書き換え可能に構成されている。
【００４４】
図３に示すように、出力部４ａｂにあっては、上記４の指令に従って、部分設備図Ｄが生成され、ディスプレイに表示出力されるとともに、必要な場合はプリンター等（図示省略）で印字出力することが可能とされている。さらに、保全情報ｉ３、運転情報ｉ４等も順次出力可能となっている。本願システムにあっては、これら情報は、設備部材ｕ単位で記憶・蓄積されているため、これら出力にあっても、設備部材ｕ単位の出力が、部分設備図Ｄとの対照において可能となっている。
【００４５】
前記認識手段４ｂは、前記対象地域である、支援装置４から所定の範囲内に存する固有識別子５を無線信号の授受で順次認識する手段であり、認識された固有識別子５毎に、それに関連づけてその情報を読み出す手段である。
結果、支援装置４内に自動的に、対象地域内にある全ての設備ユニットＵ０，Ｕ１，Ｕ２及び設備部材ｕに関して、その固有識別子５、接続情報Ｉ１，ｉ１、自己情報ｉ２、保全情報ｉ３さらに運転情報ｉ４の情報テーブルｔが生成され、支援装置４に備えられている記憶部４ｄに格納される。劣化情報あるいは点検情報を含む場合は、これらの情報も格納される。
【００４６】
前記部分設備図生成手段４ｃは、所謂、ＣＡＤシステム（コンピュータエイディドデザイン）のシステムであり、上述の情報テーブルｔから必要な接続情報Ｉ１，ｉ１を抽出して、対象地域内にある部分設備図Ｄを生成する。
このようにして得られた部分設備図Ｄもまた、支援装置４の記憶部４ｄに記憶格納される。
以上のようにして、本願に係る支援装置４を使用することで、現場で、簡易、迅速に、現場周辺の対象地域に関して、部分設備図Ｄ及びその図内に含まれる設備部材ｕに関する保全情報ｉ３及び運転情報ｉ４を得ることができる。劣化情報あるいは点検情報を含む場合は、これらの情報をも得ることができる。
【００４７】
３  処理装置６
図１に示すように、この実施の形態に記載の支援装置４はＩＣタグ５との情報交換が可能となっているとともに、都市ガス事業者の部署に備えられている処理装置としての管理端末６とも情報交換可能に構成されている。
そして、支援装置４が特定の対象地域について、その地域の部分設備図Ｄを作成した段階で、その図面情報及び関連するテーブル情報が管理端末６側に吸い上げ可能に構成されている。管理端末６においては、当該対象地域に関して、自らが有している部分設備図Ｄとの対比を実行し、その対比の結果、齟齬がある場合は、支援装置４側から送られてきた情報を真の情報として、自らが保有している情報を書き換えるように構成されている。
このようにシステムが構築されることで、多数の支援装置４を現場作業員が持参して、部分設備図Ｄを生成して作業を進めるとともに、管理端末６側にある情報を現場の情報に書き換えて、信頼性の高い設備網１００に関する情報を得ることが可能となっている。
【００４８】
以下、この構成例の支援システム２に関してその使用例を図１〜４に基づいて説明する。
図１は、これまでも説明してきたように、現在、現場で工事の対象となっている配管網の一部を示す図である。一方、図４は、以前に、バルブｕ１２より上手側（図４において左側）が単なる直管ｕ３０から形成されていた状況を示す例である。
この例では、図４に示す状態から図１に示す状態に直管ｕ３０が、バルブ上手側のＵ字管部ｕ３，ｕ４，ｕ５，ｕ６，ｕ７，ｕ８，ｕ９，ｕ１０として交換されたものとする。
【００４９】
図４から図１に示す構造への工事に際して、現場作業員３は、流体圧計測装置ｕ１，及びバルブｕ１２に取り付けられたＩＣタグ５に関して、第１設備ユニットＵ１に関する情報、及び直管ｕ３、エルボｕ４、直管ｕ５、エルボｕ６、直管ｕ７、エルボｕ８、直管ｕ９、エルボｕ１０夫々について、支援装置４を使用して、その記憶部５ａに、その作業時点における設置識別番号ｉ０、接続情報ｉ１、自己情報ｉ２、保全情報ｉ３、運転情報ｉ４を記憶させておく。劣化情報あるいは点検情報を含む場合は、これらの情報をも記憶させておくこととなる。
ここで、運転情報ｉ４に関して、その流体圧力情報は流体圧計測装置ｕ１からの計測情報により逐次更新される。
そして、現場の配管系統が図１に示す状態になっている状況で、別の作業員３が工事を行う場合は、本願に係る支援装置４を持参し、先に説明した所定の手順に従って対象地域を特定するとともに、その対象地域の部分設備図Ｄを得るとともに、保全情報ｉ３、運転情報ｉ４等を得て作業を行うことができる。
この作業は以下の順に進む。
１：部分設備図生成作業の開始を指令する開始指令操作
作業員３は、支援装置４のキー操作により、この開始指令を入力する。
支援装置４側では、部分設備図生成の準備が整う。
２：部分配管生成の対象とする支援装置からの範囲を指定するための対象地域特定の指定操作
作業員３は、支援装置４のキー操作により、対象地域を特定する。
この特定に際しては、現場で工事の対象となる範囲の部分設備図を得るべく、その対象地域を支援装置の周囲，何メータ以内等として指定する。
装置４側では、認識手段４ｂによって認識すべき範囲が特定される。
３：特定された対象地域内に存在する固有識別子及びそれに関連付けられた記憶情報（接続情報Ｉ１，ｉ１）の取り込み指令操作
この操作に従って、装置４側では自動的に所定範囲内にある固有識別子５が認識される。
４：特定された対象地域内の設備網である部分設備図の生成、出力の指令操作
この操作に伴って、支援装置４側から認識している全ての固有識別子５の情報及び、記憶手段である記憶部５ａに記憶されている情報を使用して、部分設備図生成手段４ｃにより部分設備図Ｄが自動生成され、出力される。
５：部分設備図が生成された対象地域内における保全情報の出力指令操作
支援装置４側では、必要な場合、保全情報ｉ３を、作業員３による出力指令操作に従って、出力部４ａｂに表示する。
６：部分設備図が作成された対象地域内における運転情報の出力指令操作
支援装置４側では、必要な場合運転情報を、作業員３による出力指令操作に従って、出力部４ａｂに表示する。
７：部分設備図が作成された対象地域内における他の情報の出力指令操作
支援装置４側では、必要な場合劣化情報あるいは点検情報を、作業員３による出力指令操作に従って、出力部４ａｂに表示する。
【００５０】
この様にして、現場の部分設備図Ｄ、記憶部５ａに記憶された情報を利用して、作業を進めることができる。そして、記憶部５ａに記憶する情報を順次書き換え、更新して、最新の情報とすることができる。
〔別実施の形態〕
（１）  上記の実施の形態にあっては、設備網の例として都市ガス供給を行う設備網の例を示したが、化学プラントにおける設備網、発電プラントにおける設備網等を対象としてもよい。
（２）上記の実施の形態にあっては、本願装置により生成される部分設備図と設備ユニットに関連する情報である保全情報、運転情報、点検情報、劣化情報等を順次呼び出して出力可能とする構成に関して説明したが、部分設備図とともに、その表示に載せて出力可能とする構成を採用してもよい。このようにしておくと、現場の把握がより簡易且つ的確となる。
（３）  上記の実施の形態にあっては、部分設備図を生成する範囲は、使用者によるマニュアル操作により指定可能とするものとしたが、予め設定されている範囲に装置自体が生成範囲を決定し、部分設備図を自動生成するものとしてもよい。
（４）  上記の実施の形態にあっては、部分設備図生成手段を備え、部分設備図の生成を経た後、保全情報、運転情報、点検情報、劣化情報等を、作業者が得る例を示したが、支援装置において、部分設備図の生成を伴うことなく、それら情報の読み出し、書き換えが可能な構造としておいてもよい。
（５）  上記の実施の形態にあっては、第２設備ユニットＵ２の代表設備部材であるバルブｕ１２は、マニアル操作式のものである例を示したが、このバルブが、バルブ動作制御用の動作制御部を備え、この動作制御部が外部より動作制御指令を受けて作動する構成のものであってもよい。
このような動作制御部を備えたバルブにあっては、動作制御部が通信により情報の受入が可能とされるため、先に設備した運転情報ｉ４の一部となる計測情報を計測する計測装置（例えば、第２設備ユニットＵ２に備えられる計測装置、或いは、第１設備ユニットＵ１に備えられる計測装置ｕ１）、又は、動作制御指令の発信元から、運転情報ｉ４の一部となる情報を受信し、その受信情報を当該バルブに備えられるＩＣタグの記憶部に記憶させる構成としておいてもよい。
【産業上の利用可能性】
【００５１】
現場の状況に的確に対応して、施工業者等が迅速且つ安全に作業を進めることができる支援システムを得ることができた。
【図面の簡単な説明】
【００５２】
【図１】支援システムの使用形態を示す説明図
【図２】支援システムのシステム構成を示す図
【図３】部分設備図の例を示す図
【図４】図１に示す設備網に変更される前の状態を示す図
【符号の説明】
【００５３】
１：隠蔽体
２：支援システム
３：作業員
４：支援装置
４ａ：入出力部（入出力手段）
４ｂ：認識手段
４ｃ：部分設備図生成手段
４ｄ：記憶部
５：ＩＣタグ
５ａ：記憶部（記憶手段）
５ｂ：通信部
６：管理端末
１００：設備網
Ｄ：部分設備図
ｆ：流体
ｉ０：設置識別番号
ｉ１：接続情報
Ｉ１：ユニット接続情報
ｉ２：自己情報
ｉ３：保全情報
ｉ４：運転情報
ｔ：情報テーブル
ｕ：設備部材
Ｕ０：第０設備ユニット
Ｕ１：第１設備ユニット
Ｕ２：第２設備ユニット
【図１】
2007219727.tif 000003
【図２】
2007219727.tif 000004
【図３】
2007219727.tif 000005
【図４】
2007219727.tif 000006